(57)【要約】      （修正有）【課題】屋内配線における付設、回路接続を電気工事士資格を持たない作業者でも容易に且つ安定した品質で確実に工事することができ、また、室内レイアウトの変更に伴う配線換えが、電気工事を要することなく、短時間で容易に行うことができる屋内配線システムを提供する。【解決手段】コネクタ付ケーブル１２は、ケーブル導体２１に接続された接触端子１８、接触端子１８を接触部１８ａが側方に突出した状態で収容するハウジング１９、外郭部１３のスリット状開口部１３ｂを覆う絶縁カバー２０とから構成する。ハウジング１９に収容された接触端子１８を、外郭部１３のスリット状開口部１３ｂから外郭部１３内に挿入して接触端子１８の接触部１８ａを電源導体１４の任意の位置に接触させて電源ライン１１とコネクタ付ケーブル１２とを電気的に接続させた後、絶縁カバー２０を外郭部１３のスリット状開口部１３ｂに被せてスリット状開口部１３ｂを塞ぐ。【選択図】図１
2005057866.tif 000002
【特許請求の範囲】
【請求項１】
対抗して配置された一対の電源導体が外郭部の長手方向に配設された電源ラインと、ハウジングに収容された接触端子がケーブル導体の一端に電気的に接続されたコネクタ付ケーブルとを備え、前記電源ラインの前記電源導体の任意位置に前記コネクタ付ケーブルの前記接触端子を接触させて前記電源ラインと前記コネクタ付ケーブルとを接続することを特徴とする屋内配線システム。
【請求項２】
前記電源ラインは、絶縁材料によって断面略逆Ω形状のレール状に形成された外郭部と、前記外郭部の両側壁内面に長手方向に対抗して配設された一対の前記電源導体とを備え、前記コネクタ付ケーブルは、前記ケーブル導体に接続された前記接触端子、前記接触端子を前記接触端子の接触部が側方に突出した状態で収容する前記ハウジング、及び前記外郭部のスリット状開口部を覆う絶縁カバーとを備え、
前記ハウジングに収容された前記接触端子を前記外郭部の前記スリット状開口部から前記外郭部内に挿入して前記接触端子の前記接触部を前記電源導体の任意の位置に接触させて前記電源ラインと前記コネクタ付ケーブルとを電気的に接続させた後、前記絶縁カバーを前記外郭部の前記スリット状開口部に被せて前記スリット状開口部を塞ぐことを特徴とする請求項１に記載の屋内配線システム。
【発明の詳細な説明】
【技術分野】
【０００１】
本発明は、屋内配線システムに関し、例えば、屋内配線におけるケーブル接続の簡易化を図る屋内配線システムに関する。
【背景技術】
【０００２】
図６に示すように、従来の屋内配線工法は、ケーブル１のシース２及び絶縁体３を任意の長さに皮むきしてケーブル導体４を露出させた後、ケーブル導体４を圧着スリーブ５等で圧着して結線接続する。結線接続部を圧着スリーブ５等と共に絶縁キャップ６、ビニールテープ、絶縁チューブ等で覆って絶縁した後、ケーブル接続部をジョイントボックス７内に収容していた。
【０００３】
また、他の屋内配線工法としては、多対幹線ケーブルを分岐部分においてシースを剥いで多対芯線を露出させ平型多対コネクタに接続する。該平型多対コネクタの前面側に相手コネクタの案内部を、また後面側に接続工具挿入用の凹部を設けて樹脂モールド部を形成し、該樹脂モールド部に平型多対コネクタ及び多対芯線を埋め込むようにしたものが開示されている（例えば、特許文献１参照。）。
【特許文献１】特開２０００−１３９０１７号公報（第２頁、第１図）
【発明の開示】
【発明が解決しようとする課題】
【０００４】
図６に示す従来の屋内配線工法によると、ケーブル１のシース２及び絶縁体３を皮むきする作業時間が必要であり、作業効率が悪い問題があった。また、ケーブル１の皮むき作業は、電気工事士の資格が要求され、作業者が制限されるばかりでなく、皮むき作業、結線作業は個人差が出易く、換言すれば、品質のばらつきが生じ易く、結線部分に不具合が発生する虞があった。また、室内レイアウトの変更に伴う配線換えの場合に、既存配線の撤去、新規ケーブルの付設、結線等の作業が生じて多大の工数を要する問題があった。
【０００５】
特許文献１に開示された屋内配線工法によると、分岐点において多対幹線ケーブルのシースを剥ぎ、多対芯線を露出させて分岐すべき多対芯線を平型多対コネクタに接続した後、多対芯線及び平型多対コネクタを樹脂モールド部に埋め込む面倒な作業が必要である。上述した作業は、作業者による個人差が出易いため、安定した品質が得難いばかりでなく、配線に多くの工数を要するものであった。更に、樹脂モールド部は、平型多対コネクタの前面側に相手コネクタの案内部を、また後面側に接続工具挿入用の凹部を設けた複雑な形状の成形を行う必要があり作業効率の悪いものであった。また、コネクタの接続にも接続工具を用いなければならない不具合があった。
【０００６】
本発明は、前述した課題に鑑みてなされたものであり、その目的は、屋内配線における付設、回路接続を電気工事士資格を持たない作業者でも容易に且つ安定した品質で確実に工事することができ、また、室内レイアウトの変更に伴う配線換え時には、電気工事を要することなく、短時間で容易に配線することができる屋内配線システムを提供することにある。
【課題を解決するための手段】
【０００７】
１）本発明の屋内配線システムは、対抗して配置された一対の電源導体が外郭部の長手方向に配設された電源ラインと、ハウジングに収容された接触端子がケーブル導体の一端に電気的に接続されたコネクタ付ケーブルとを備え、前記電源ラインの前記電源導体の任意位置に前記コネクタ付ケーブルの前記接触端子を接触させて前記電源ラインと前記コネクタ付ケーブルとを接続することを特徴とする。
【０００８】
前記構成の屋内配線システムによれば、一対の電源導体が外郭部の長手方向に配設された電源ラインと、ハウジングに収容された接触端子がケーブル導体の一端に電気的に接続されたコネクタ付ケーブルとを備え、電源導体の任意位置に接触端子を接触させて電源ラインとコネクタ付ケーブルとを接続するようにしたので、電源ライン及びコネクタ付ケーブルを予め工場で製造しておき、施工現場では、単に電源ラインとコネクタ付ケーブルとを組み付けるだけで屋内配線を付設することができる。従って、電源ライン及びコネクタ付ケーブルは、工場での厳しい品質管理下で製造して性能の安定した高品質のものを製造することができ、信頼性の高い付設を行うことができる。
【０００９】
また、シース及び絶縁体の皮むき作業、結線作業が不要となるため、電気工事士資格を有しない作業者でも工事することができ、作業者が特定の作業者に限定されることはない。更に、誰でも一定の高品質の工事を確実に行うことができ、作業時間の短縮、作業コストの低減が可能となる。また、コネクタ付ケーブルの接触端子を電源導体の任意位置に接触させることによって電源ラインとコネクタ付ケーブルとを接続することができるので、配線の融通性が高まり、配線作業が大幅に容易となる。
【００１０】
２）本発明の屋内配線システムは、１）記載の屋内配線システムにおいて、前記電源ラインは、絶縁材料によって断面略逆Ω形状のレール状に形成された外郭部と、前記外郭部の両側壁内面に長手方向に対抗して配設された一対の前記電源導体とを備え、前記コネクタ付ケーブルは、前記ケーブル導体に接続された前記接触端子、前記接触端子を前記接触端子の接触部が側方に突出した状態で収容する前記ハウジング、及び前記外郭部のスリット状開口部を覆う絶縁カバーとを備え、前記ハウジングに収容された前記接触端子を前記外郭部の前記スリット状開口部から前記外郭部内に挿入して前記接触端子の前記接触部を前記電源導体の任意の位置に接触させて前記電源ラインと前記コネクタ付ケーブルとを電気的に接続させた後、前記絶縁カバーを前記外郭部の前記スリット状開口部に被せて前記スリット状開口部を塞ぐことを特徴とする。
【００１１】
前記構成の屋内配線システムによれば、電源ラインは、絶縁材料によって断面略逆Ω形状のレール状に形成された外郭部と、外郭部の両側壁内面に長手方向に対抗して配設された一対の電源導体とから構成すると共に、コネクタ付ケーブルは、ケーブル導体に接続された接触端子、接触端子を接触端子の接触部が側方に突出した状態で収容するハウジング、及び外郭部のスリット状開口部を覆う絶縁カバーとから構成し、ハウジングに収容された接触端子を外郭部のスリット状開口部から外郭部内に挿入して接触端子の接触部を電源導体の任意の位置に接触させて電源ラインとコネクタ付ケーブルとを電気的に接続させた後、絶縁カバーを外郭部のスリット状開口部に被せてスリット状開口部を塞ぐようにしたので、屋内配線現場において電源ライン及びコネクタ付ケーブルを加工することなく接続することができる。従って、付設作業を簡略化して短時間で高品質の屋内配線を行うことができる。
【００１２】
また、室内レイアウト変更に伴う配線換え時には、電源ラインからコネクタ付ケーブルを取り外し、新しいレイアウトに従って電源ラインを付設し直した後、コネクタ付ケーブルを再接続することによって可能となり、配線換え作業が大幅に容易となる。また、外郭部のスリット状開口部は絶縁カバーによって覆われているので、塵等の異物がスリット状開口部から電源ライン内に侵入することはなく、異物侵入による不具合を防止することができる。
【発明の効果】
【００１３】
以上、説明したように、本発明によれば、一対の電源導体が外郭部の長手方向に配設された電源ラインと、ハウジングに収容された接触端子がケーブル導体の一端に電気的に接続されたコネクタ付ケーブルとを備え、電源導体の任意位置に接触端子を接触させて電源ラインとコネクタ付ケーブルとを接続するようにしたので、電源ライン及びコネクタ付ケーブルを予め工場で製造しておき、施工現場では、単に電源ラインとコネクタ付ケーブルとを組み付けるだけで屋内配線を付設することができる。従って、電源ライン及びコネクタ付ケーブルは、工場での厳しい品質管理下で製造して性能の安定した高品質のものを製造することができ、信頼性の高い付設を行うことができる。
【００１４】
また、シース及び絶縁体の皮むき作業、結線作業が不要となるため、電気工事士資格を有しない作業者でも工事することができ、作業者が特定の作業者に限定されることはない。更に、誰でも一定の高品質の工事を確実に行うことができ、作業時間の短縮、作業コストの低減が可能となる。また、コネクタ付ケーブルの接触端子を電源導体の任意位置に接触させることによって電源ラインとコネクタ付ケーブルとを接続することができるので、配線の融通性が高まり、配線作業が大幅に容易となる。
【００１５】
また、本発明によれば、電源ラインは、絶縁材料によって断面略逆Ω形状のレール状に形成された外郭部と、外郭部の両側壁内面に長手方向に対抗して配設された一対の電源導体とから構成すると共に、コネクタ付ケーブルは、ケーブル導体に接続された接触端子、接触端子を接触端子の接触部が側方に突出した状態で収容するハウジング、及び外郭部のスリット状開口部を覆う絶縁カバーとから構成し、ハウジングに収容された接触端子を外郭部のスリット状開口部から外郭部内に挿入して接触端子の接触部を電源導体の任意の位置に接触させて電源ラインとコネクタ付ケーブルとを電気的に接続させた後、絶縁カバーを外郭部のスリット状開口部に被せてスリット状開口部を塞ぐようにしたので、屋内配線現場において電源ライン及びコネクタ付ケーブルを加工することなく接続することができる。従って、付設作業を簡略化して短時間で高品質の屋内配線を行うことができる。
【００１６】
また、室内レイアウト変更に伴う配線換え時には、電源ラインからコネクタ付ケーブルを取り外し、新しいレイアウトに従って電源ラインを付設し直した後、コネクタ付ケーブルを再接続することによって可能となり、配線換え作業が大幅に容易となる。また、外郭部のスリット状開口部は絶縁カバーによって覆われているので、塵等の異物がスリット状開口部から電源ライン内に侵入することはなく、異物侵入による不具合を防止することができる。
【発明を実施するための最良の形態】
【００１７】
以下、本発明に係る実施形態を図面に基づいて詳細に説明する。図１は本発明の屋内配線システムの接続手順を示し、（ａ）は接続前の電源ライン、コネクタ付ケーブルの斜視図、（ｂ）は電源ラインにコネクタ付ケーブルを挿入しファスナを所定の位置に移動させた状態を示す斜視図、（ｃ）は電源ラインのスリット状開口部に絶縁カバーを被せ接続が完了した状態を示す斜視図である。図２は図１におけるコネクタ付ケーブルを示し、（ａ）はコネクタ付ケーブルの分解斜視図、（ｂ）はケーブルに接触端子を接続した状態を示す斜視図である。図３は図１におけるファスナ及び絶縁カバーを示し、（ａ）は結合前のファスナ及び絶縁カバーの要部拡大縦断面図、（ｂ）はファスナと絶縁カバーが結合された状態を示す要部拡大縦断面図である。図４は図１におけるＩＶ−ＩＶ矢視縦断面図、図５は
本発明の屋内配線システムの配線例を示す平面図である。
【００１８】
図１に示すように、屋内配線システム１０は、電源ライン１１と、コネクタ付ケーブル１２とを備えている。電源ライン１１は、外郭部１３と、一対の電源導体１４とから構成されている。
【００１９】
外郭部１３は、軟質ビニール樹脂、ポリエチレン樹脂等の絶縁性及び可撓性を有する合成樹脂によって、断面略逆Ω形状のレール状に形成されている。外郭部１３の両側壁１３ａの内面には、一対の電源導体１４が互いに対抗して配置され、外郭部１３の長手方向に配設されている。電源導体１４は、銅合金等の電気抵抗の小さな導電材料から製作されている。
【００２０】
図１において外郭部１３の上端には、スリット状開口部１３ｂが形成されている。即ち、両側壁１３ａの上半部は、スリット状開口部１３ｂに近づくに従って次第に接近するように形成されており、通常状態では上端部が互いに接触してスリット状開口部１３ｂが閉じられた状態となっている。また、両側壁１３ａの上端は、僅かに側方に張り出して形成されたファスナ係止部１３ｃが設けられており、後述するファスナ１５が係合するようになっている。尚、電源ライン１１は、一対の電源導体１４が外郭部１３内に配設された状態で工場において製造される。
【００２１】
図２に示すように、コネクタ付ケーブル１２は、ケーブル１６と、接触端子１８と、ハウジング１９と、絶縁カバー２０とを備えている。ケーブル１６は、ケーブル導体２１が絶縁体２２及びシース２３によって被覆された一般のケーブルである。接触端子１８は、電源ライン１１の一対の電源導体１４と接触して電源ライン１１とケーブル１６とを電気的に接続させるためのものであって、燐青銅等の弾性及び導電性を有する板ばねが塑性加工により略Ｃ字形に形成されて接触部１８ａが設けられている。そして、接触端子１８は、ケーブル１６の絶縁体２２及びシース２３が剥がされて露出したケーブル導体２１に半田付け、圧着接続、圧接接続、等の手段によって接続されている。
【００２２】
ハウジング１９は、一対の接触端子１８を所定の位置に保持して配線作業を容易にすると共に、接触端子１８と電源導体１４との接触を確実に維持するためのものであって、絶縁性を有する合成樹脂によって形成された略直方体の部材である。ハウジング１９の上面には角穴１９ａ，１９ｂが設けられ、また両側面には角穴１９ｃ、１９ｄが形成されている。角穴１９ａと角穴１９ｃ、及び角穴１９ｂと角穴１９ｄとは、夫々ハウジング１９の内部で連通し、且つ夫々は隔壁１９ｅによって互いに隔離され、電気的に絶縁されている（図４参照）。
【００２３】
そして、ケーブル１６の一端に接続された一対の接触端子１８は、角穴１９ａ及び１９ｂからハウジング１９に挿入され、夫々の接触部１８ａが角穴１９ｃ、１９ｄから側方に突出した状態でハウジング１９に収容されている。なお、夫々の接触端子１８は、隔壁１９ｅによって互いに隔離され、電気的に絶縁されている。
【００２４】
図１及び図２に示すように、絶縁カバー２０は、外郭部１３のスリット状開口部１３ｂを覆って、塵等の異物が外郭部１３の内部に侵入するのを防止すると共に、コネクタ付ケーブル１２の位置を固定して電源ライン１１から抜けるのを防止するためのものであって、カバー部２０ａの略中央にケーブル保持部２０ｂが連結された略Ｔ字形に形成されており、ゴム或いは合成樹脂によって製作されている。ケーブル保持部２０ｂには、ケーブル１６を挿通させるための貫通孔２０ｃが設けられている。カバー部２０ａは、断面略コの字形に形成され、該コの字部でスリット状開口部１３ｂ及びファスナ１５を覆うようになっている。図３に示すように、カバー部２０ａの長手方向両端部には、コの字部の内側に突出する２個の係合突起２０ｄが形成されている。
【００２５】
図１から図３に示すように、ファスナ１５は、外郭部１３のスリット状開口部１３ｂをカバーするためのものであって、合成樹脂等により断面略コの字形に形成されている。ファスナ１５の開口端には、互いに接近するように突出する係合突起１５ａが設けられており、該係合突起１５ａを外郭部１３のファスナ係止部１３ｃに係合させてスリット状開口部１３ｂを閉じるように構成されている。
【００２６】
ファスナ１５は、係合突起１５ａを外郭部１３のファスナ係止部１３ｃに係合させた状態で外郭部１３の長手方向に摺動移動が可能であり、外郭部１３の任意位置に配置することができる。図３（ｂ）に示すように、ファスナ１５の上面には、貫通孔１５ｂが設けられており、貫通孔１５ｂに絶縁カバー２０の係合突起２０ｄを嵌合させて固定するようになっている。
【００２７】
尚、コネクタ付ケーブル１２は、ケーブル１６から絶縁体２２及びシース２３を剥がす皮むき作業、ケーブル導体２１に接触端子１８を半田付け、圧着接続、圧接接続、等によって接続する接続作業、及びハウジング１９への組み付け作業、等は、工場において行われる。ケーブル１６と絶縁カバー２０の組付けは、工場又は配線現場のいずれで行ってもよく、配線状況や配線現場での作業状況に応じて、適宜最も適した方法で組み付けられる。
【００２８】
次に、本発明の屋内配線システムの配線方法を図５に基づいて説明する。本発明の屋内配線は、図５において、先ず、工場の厳しい品質管理の下で製造された電源ライン１１及びコネクタ付ケーブル１２を施工現場に搬送する。施工現場において、コネクタ付ケーブル１２の他端（ケーブル側）に照明器具３０、分電盤３１、等を取り付け、夫々所定の場所に仮置きして準備する。次いで、配線レイアウトに従って電源ライン１１を付設する。電源ライン１１は、可撓性を有するので、Ｕ字形、Ｓ字形、等、照明器具３０の配置に合わせて任意の形状に屈曲させて付設することができ、容易に工事することができる。
【００２９】
図１（ｂ）及び図４に示すように、接続箇所において外郭部１３のスリット状開口部１３ｂを左右に拡げて開口させ、該開口からハウジング１９に保持された接触端子１８を外郭部１３の内部に挿入して接触部１８ａを電源導体１４に接触させて電気的に接続する。このとき、外郭部１３のスリット状開口部１３ｂは、ケーブル１６を狭持するので、該ケーブル１６の近傍が開いた状態となっている。
【００３０】
次いで、図１（ｂ）及び図１（ｃ）に示すように、一対のファスナ１５を外郭部１３上で摺動移動させて、ファスナ１５の貫通孔１５ｂと絶縁カバー２０の係合突起２０ｄの位置を一致させ、貫通孔１５ｂに係合突起２０ｄを係合させて絶縁カバー２０を固定する（図３（ｂ）参照）。
【００３１】
これによって、ファスナ１５より遠方のスリット状開口部１３ｂは閉じた状態となる。また、ケーブル１６を狭持することによって開いたケーブル１６の近傍部分は絶縁カバー２０によって覆われ、塵等の異物の侵入が防止される。上述したように、接触端子１８の接触部１８ａは、電源導体１４の任意の位置に接触させて接続することができるので、配線の融通性が高く、効率よく配線作業を行うことができる。
【００３２】
尚、上述した説明においては、コネクタ付ケーブル１２の他端（ケーブル側）に予め照明器具３０、分電盤３１、等を取り付けて準備しておき、電源ライン１１を付設した後、接触端子１８を電源ライン１１に接続するように説明したが、配線レイアウトに従って電源ライン１１を先に付設しておき、電源ライン１１に接触端子１８を接続した後、コネクタ付ケーブル１２の他端（ケーブル側）に照明器具３０、分電盤３１、等を取り付けるようにしてもよい。
【００３３】
また、レイアウト変更によって配線換えが必要となった場合には、電源ライン１１からコネクタ付ケーブル１２の接触端子１８を取り外し、新しいレイアウトに従って電源ライン１１を付設し直した後、各コネクタ付ケーブル１２の接触端子１８を新しく付設された電源ライン１１に接続することによって、大幅な電気工事を行うことなく変更に容易に対応することが可能となる。また、レイアウト変更が照明器具３０、等の僅かな移動だけで可能な場合には、コネクタ付ケーブル１２を電源ライン１１に沿って摺動移動させるだけで変更することもできる。
【００３４】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【図面の簡単な説明】
【００３５】
【図１】本発明の屋内配線システムの接続手順を示し、（ａ）は接続前の電源ライン、コネクタ付ケーブルの斜視図、（ｂ）は電源ラインにコネクタ付ケーブルを挿入しファスナを所定の位置に移動させた状態を示す斜視図、（ｃ）は電源ラインのスリット状開口部に絶縁カバーを被せ接続が完了した状態を示す斜視図である。
【図２】図１におけるコネクタ付ケーブルを示し、（ａ）はコネクタ付ケーブルの分解斜視図、（ｂ）はケーブルに接触端子を接続した状態を示す斜視図である。
【図３】図１におけるファスナ及び絶縁カバーを示し、（ａ）は結合前のファスナ及び絶縁カバーの要部拡大縦断面図、（ｂ）はファスナと絶縁カバーが結合された状態を示す要部拡大縦断面図である。
【図４】図１におけるＩＶ−ＩＶ矢視縦断面図である。
【図５】本発明の屋内配線システムの配線例を示す平面図である。
【図６】従来例に係り、ジョンイトボックスに収容された接続部を示す斜視図である。
【符号の説明】
【００３６】
１０                    屋内配線システム
１１                    電源ライン
１２                    コネクタ付ケーブル
１３                    外郭部
１３ａ                  外郭部の両側壁
１３ｂ                  スリット状開口
１４                    電源導体
１８                    接触端子
１８ａ                  接触端子の接触部
１９                    ハウジング
２０                    絶縁カバー
２１                    ケーブル導体
【図１】
2005057866.tif 000003
【図２】
2005057866.tif 000004
【図３】
2005057866.tif 000005
【図４】
2005057866.tif 000006
【図５】
2005057866.tif 000007
【図６】
2005057866.tif 000008